(57)【特許請求の範囲】
【請求項１】
物品表面に被せる表面カバー部と、
前記表面カバー部の端に一体的に連設され、物品側周面の一部分へ被さるように折り曲げられる少なくとも一つの第１側面カバー部と、
前記表面カバー部の、前記第１側面カバー部が一体的に連接された端とは異なる端に一体的に連接され、物品側周面の前記第１側面カバー部が被さる部分とは異なる部分へ被さるように折り曲げられる少なくとも一つの第２側面カバー部とを備えており、
前記第１側面カバー部は、底辺部が前記表面カバー部と略並行に位置するとともに頂部が該表面カバー部と該第１側面カバー部との境界部位に臨む側面視３角形状又は略３角形状を呈するように折り曲げ可能であり、
少なくとも一つの前記第１側面カバー部は、表面カバー部との境界に設けられた第１折り曲げライン、第１折り曲げラインから隔たって該第１折り曲げラインと平行に設けられた第２折り曲げライン、該第２折り曲げラインから第１折り曲げラインとは反対側へ隔たって該第２折り曲げラインと平行に設けられた第３折り曲げラインを有し、該第１、第２及び第３の折り曲げラインでそれぞれ折り曲げて前記側面視３角形状又は略３角形状を呈させるとともに物品側周面の前記一部分へ被さるように配置でき、
少なくとも一つの前記第２側面カバー部は表面カバー部との境界に設けられた折り曲げラインで物品側周面の前記反対側の部分へ被さるように折り曲げ可能であることを特徴とする物品包装カバー。
【請求項２】
少なくとも一つの前記第１側面カバー部については、前記表面カバー部とは反対側の端にフラップが一体的に連設されおり、該フラップは該第１側面カバー部の前記側面視３角形状又は略３角形状の折り曲げに伴って該第１側面カバー部との境界に設けられた折り曲げラインで前記表面カバー部の裏面に重なるように折り曲げ可能である請求項１記載の物品包装カバー。
【請求項３】
少なくとも一つの前記第１側面カバー部については、前記表面カバー部と該第１側面カバー部との境界に設けられた前記第１折り曲げラインの延在方向に沿って物品表面側の周縁部が部分的に嵌合可能の第１切り抜きラインが形成されており、少なくとも一つの前記第２側面カバー部については、該表面カバー部と前記第２側面カバー部との境界に設けられた前記折り曲げラインの延在方向に沿って物品表面側の周縁部が部分的に嵌合可能の第２切り抜きラインが形成されている請求項１記載の物品包装カバー。
【請求項４】
少なくとも一つの前記第１側面カバー部については、前記表面カバー部とは反対側の端にフラップが一体的に連設されおり、該フラップは該第１側面カバー部の前記側面視３角形状又は略３角形状の折り曲げに伴って該第１側面カバー部との境界に設けられた折り曲げラインで前記表面カバー部の裏面に重なるように折り曲げ可能であり、
少なくとも一つの前記第１側面カバー部については、前記表面カバー部と該第１側面カバー部との境界に設けられた前記第１折り曲げラインの延在方向に沿って物品表面側の周縁部が部分的に嵌合可能の第１切り抜きラインが形成されており、少なくとも一つの前記第２側面カバー部については、該表面カバー部と前記第２側面カバー部との境界に設けられた前記折り曲げラインの延在方向に沿って物品表面側の周縁部が部分的に嵌合可能の第２切り抜きラインが形成されており、
前記第１側面カバー部と前記フラップとの境界領域に前記第１切り抜きラインを露出させる開口が形成されている請求項１記載の物品包装カバー。
【請求項５】
少なくとも一つの前記第２側面カバー部については、いずれか一つの前記第１側面カバー部を連設した前記表面カバー部の端とは反対側の他端に一体的に連設されている請求項１から４のいずれかに記載の物品包装カバー。
【発明の詳細な説明】
【０００１】
【発明の属する技術分野】
本発明は物品の包装カバーに関する。
【０００２】
【従来の技術】
物品の包装カバーにはこれまで種々のタイプのものが提案され、使用されてきたが、そのなかに、図１２に例示するように物品Ｗの表面に被せられる表面カバー部９１、表面カバー部９１の両端に連設され、物品側面上へ折り曲げられる側面カバー部９２、９３からなる包装カバー９がある。物品Ｗは図示例では食品を密封収容した容器である。物品Ｗは包装カバー９が被せられたあと、加熱により収縮可能のフィルム１０でさらに覆われ、加熱されて該熱収縮フィルムにて包装されることもある。
【０００３】
このように包装される物品の輪郭形態は、直方体状（図１１（Ａ））、直方体状の本体に対しその周縁よりはみ出た大きさのフランジ或いは耳部を有するフランジ付き直方体状（図１１（Ｂ））或いは耳部付き直方体状、円板状（図１１（Ｃ））、円板状本体よりはみ出た大径のフランジ部或いは耳部を有するフランジ付き円板状（図１１（Ｄ））或いは耳部付き円板状、底部の径（或いは面積）が表面部径（或いは面積）より小さい倒立角錐台状（図１１（Ｅ））や倒立円錐台状（図１１（Ｆ））等様々である。
【０００４】
このように包装された物品は、平坦面上に安定した平坦姿勢で一つずつ並べるとか、安定した平坦姿勢で複数個重ねて並べる等して保管、運搬、或いは店頭等で展示、販売などされる。
【０００５】
【発明が解決しようとする課題】
しかしながら、平坦面上に平坦姿勢で一つずつ並べるときには大きい物品配置面積が必要になってくる。また、物品を一つずつ並べるにせよ、複数個を重ねて並べるにせよ、物品を平坦姿勢で並べるときは物品表面は上方へ向けられるので、その面を覆う広い面積の包装カバー部分は遠くからでは人目につかず、その部分に商品名等の文字、図形等を記載している場合には、顧客等への大きいディスプレー効果を期待できない。
【０００６】
このような問題を解消する方法として物品をその側周面の一部を下にして立て並べることが考えられるが、その場合、直方体状物品（図１１（Ａ））などのように物品を立てることができる平坦側面を有しているものはそれが可能であるが、例えば図１１（Ｂ）、図１１（Ｄ）に示す物品のように物品本体よりはみ出たフランジ或いは耳部を有しているものや、図１１（Ｅ）や図１１（Ｆ）に示す倒立角錐台状物品や倒立円錐台状物品等の錐台状物品のように側面が傾斜面となっている物品については側周面の一部を下にして立て並べることができないか、できたとしても極めて不安定な状態で立てられることになる。また、図１１（Ｃ）に示す円板状物品ではたとえ立てることができても転がりやすく、きわめて不安定な状態となる。
【０００７】
そこで本発明は、物品本体よりはみ出たフランジや耳部を有している物品、倒立錐台状物品のように物品表面側より物品裏面側乃至物品底面側が小径乃至小面積となっている物品等のようにそれ自体で側周面の一部を利用して立てることができないか、たとえできたとしてもきわめて不安定な立ち方になってしまう物品について、これをより安定的に立て置くことができるとともに該物品の大きいディスプレー効果を発揮させることができる物品包装カバーを提供することを課題とする。
【０００８】
【課題を解決するための手段】
前記課題を解決するため本発明は、物品表面に被せる表面カバー部と、前記表面カバー部の端に一体的に連設され、物品側周面の一部分へ被さるように折り曲げられる少なくとも一つの第１側面カバー部とを備えており、前記第１側面カバー部は、底辺部が前記表面カバー部と略並行に位置するとともに頂部が該表面カバー部と該第１側面カバー部との境界部位に臨む側面視３角形状又は略３角形状を呈するように折り曲げ可能である物品包装カバーを提供する。
【０００９】
第１側面カバー部は一つだけ設けられているだけでもよいが、複数設けられていてもよい。
【００１０】
第１側面カバー部を複数設けるときは、前記の側面視３角形状又は略３角形状の折り曲げが可能であれば、それら複数の第１側面カバー部はいずれも同じ形状であってもよいし、それぞれ異なる形状であってもよいし、同じ形状のものが２以上あり、それとは異なる形状のものが１又は２以上あってもよく、第１側面カバー部の数、形状は被包装物品等に応じて任意に選択できる。
【００１１】
第１側面カバー部の折り曲げにより形成される側面視３角形状又は略３角形状のうち略３角形状には、図６の（Ｄ）〜（Ｇ）に例示する変形３角形状など、全体として略３角形状を呈している形状が含まれる。
【００１２】
この物品包装カバーによると、表面カバー部が物品の表面に当てがわれる。第１側面カバー部が物品の側周面を部分的に覆うようにその部分の上へ、側面視３角形状或いは略３角形状を呈するように折り曲げられる。
【００１３】
さらに言えば、第１側面カバー部は、底辺部が前記表面カバー部と略並行に位置するとともに頂部が該表面カバー部と該第１側面カバー部との境界部位に臨む側面視３角形状又は略３角形状を呈するように折り曲げられる。
【００１４】
かくして物品側周面の部分は第１側面カバー部で覆われ、且つ、物品側周面の該部分はその部分における物品表面側が表面カバー部と第１側面カバー部との境界部位に臨むように位置する一方、物品裏面側乃至底面側が前記側面視３角形状又は略３角形状のせり上がった底辺部に臨むように位置する。
【００１５】
かくしてこのように折り曲げられた第１側面カバー部（これが複数あるときは、いずれかの第１側面カバー部）を下にして適当な台面上に該第１側面カバー部を置くことで、物品重量を主として該第１側面カバー部で支持させて該物品を立て置くことができる。
【００１６】
物品が前記のように、物品本体よりはみ出たフランジ或いは耳部を有している物品、倒立錐台状物品のように物品表面側より物品裏面側乃至底面側が小径乃至小面積となっている物品等のようにそれ自体で側周面の一部を利用して立てることができないか、たとえできたとしてもきわめて不安定な立ち方になってしまう物品であっても、３角形状又は略３角形状に折り曲げられた第１側面カバー部のうち該３角形状又は略３角形状の底辺部に対する残り２辺部のうち物品載置台面に配置される下側辺部に対向する上側辺部は底辺部から表面カバー部へ向かって下り傾斜する姿勢をとり、これにより物品表面側は３角形状又は略３角形状の頂部に臨む一方、物品裏面側乃至底面側は盛り上がった底辺部に臨むので、物品を略真っ直ぐ立ててその重量を主として第１側面カバー部に支持させて立て置くことができる。
【００１７】
また物品の転がりについても物品の形状によっては、例えば倒立角錐台形状の物品については、転がりの恐れなく立て置くことができ、側周面が曲面であるような転がり易い物品についても、該物品の表面側を表面カバー部の裏面に接触させることができるので、それだけ転がりを抑制して立て置くことができる。
【００１８】
本発明に係る物品包装カバーは第２の側面カバー部も備えている。すなわち、前記表面カバー部の、前記第１側面カバー部が一体的に連設された端とは異なる端に一体的に連設され、物品側周面の前記第１側面カバー部が被さる部分とは異なる部分へ被さるように折り曲げられる少なくとも一つの第２側面カバー部である。
【００１９】
第２の側面カバー部が連設される表面カバー部の端は一つでも複数でもよい。従って第２側面カバー部の数は一つでも複数でもよい。
【００２０】
第２側面カバー部を複数設けるときは、それら複数の第２側面カバー部はいずれも同じ形状であってもよいし、それぞれ異なる形状であってもよいし、同じ形状のものが２以上あり、それとは異なる形状のものが１又は２以上あってもよく、第２側面カバー部の数、形状は被包装物品等に応じて任意に選択できる。
【００２１】
いずれにしても第２側面カバー部が設けられており、前記第１側面カバー部に表面カバー部を介して一体的に連続しているこの第２側面カバー部でも物品側周面の部分を覆うことができるので、それだけ一層物品を安定的に立て置くことができる。
【００２２】
既述のとおり第２側面カバー部の数、形状は被包装物品等に応じて任意に選択できるが、物品を前記の第１側面カバー部と第２側面カバー部とで挟めるようにしてそれだけ物品を安定して立て置くことができるようにするために、少なくとも一つの第２側面カバー部については、いずれか一つの前記第１側面カバー部を連設した前記表面カバー部の端とは反対側の他端に一体的に連設してもよい。換言すれば、少なくとも一つの第１側面カバー部及び少なくとも一つの第２側面カバー部を表面カバー部を間にして互いに反対側に設けてもよい。
【００２３】
なお、本発明に係る物品包装カバーで包装した物品を熱収縮性のフィルム（包装カバーが見えるように好ましくは透明のフィルム）で覆って該フィルムを加熱収縮させることで該物品包装カバーをしっかりと物品に固定してもよい。そうすると、物品を一層安定的に立て置くことができるようになる。
【００２４】
また少なくとも一つの第２側面カバー部について、いずれか一つの前記第１側面カバー部を連設した前記表面カバー部の端とは反対側の他端に一体的に連設するときには、かかる熱収縮性フィルムによる被覆とともに、又はそれに代えて、該第２側面カバー部の前記表面カバー部とは反対側の端に帯を連設し、該帯の自由端部を該第１側面カバー部に連結可能としてもよい。例えば該帯の自由端部を第１側面カバー部に予め設けておいた帯差し込み孔に差し込み留めできるようにしてもよい。
【００２５】
本発明に係る前記のいずれの物品包装カバーについても、物品包装カバーとして折り曲げられた状態での強度を増すとともに物品をより安定的に立て置くことができるように、少なくとも一つの前記第１側面カバー部については、前記表面カバー部とは反対側の端にフラップを一体的に連設し、該フラップは該第１側面カバー部の前記側面視３角形状又は略３角形状の折り曲げに伴って前記表面カバー部の裏面に重なるように折り曲げ可能としてもよい。
【００２６】
また本発明に係る前記のいずれの物品包装カバーについても、少なくとも一つの前記第１側面カバー部については、前記表面カバー部と該第１側面カバー部との境界に該第１側面カバー部を物品側周面の部分へ被さるように折り曲げるための折り曲げラインを形成する。このとき、該折り曲げラインの延在方向に沿って物品表面側の周縁部が部分的に嵌合可能の第１切り抜きラインを形成してもよい。
【００２７】
この物品包装カバーによると、例えば物品本体よりはみ出たフランジ或いは耳部を有している物品に使用する場合、そのフランジ或いは耳部を部分的に前記第１切り抜きラインに嵌合させることができる。これにより物品と本発明に係る物品包装カバーとの相互連結状態をより確かなものにし、それだけ一層安定的に物品を立て置くことができる。第１切り抜きラインに嵌合されるフランジ或いは耳部の部分はこの包装カバーにより物品を立て置くとき、物品配置台面から浮き上がっても、接触してもどちらでもよい。
【００２８】
また、かかる第１切り抜きラインを設ける場合において前記のようなフラップを該第１側面カバー部に連設するときには、第１側面カバー部とフラップとの境界領域に前記第１切り抜きラインを露出させる開口を形成すればよい。
【００２９】
第２側面カバー部についても、少なくとも一つの第２側面カバー部については、前記表面カバー部と該第２側面カバー部との境界に該第２側面カバー部を物品側周面の部分へ被さるように折り曲げるための折り曲げラインを形成する。この場合も、該折り曲げラインの延在方向に沿って物品表面側の周縁部が部分的に嵌合可能の第２切り抜きラインを形成してもよい。
【００３０】
少なくとも一つの第２側面カバー部については、いずれか一つの前記第１側面カバー部を連設した前記表面カバー部の端とは反対側の他端に一体的に連設するときには、表面カバー部を間にして互いに反対側にあるそれら第１、第２の各側面カバー部についてかかる折り曲げラインを形成するとともに第１、第２の切り抜きラインを形成する場合を代表例として挙げることができる。
【００３１】
いずれにしても本発明に係る物品包装カバーによると、該カバーと共に物品を立て並べることができるので、遠くからでも目立つとともに、表面カバー部に商品名等を記載して十分なディスプレー効果を発揮させることができる。
【００３２】
本発明に係る物品包装カバーは、前記のように折り曲げられる第１側面カバー部に物品を支持させて立て置くことができる程度の剛性を有するシート、例えばそのような剛性を有する厚い紙シート、合成樹脂シート、これらの複合シート等で容易に、例えばかかるシートを裁断して容易に形成できる。
【００３３】
また本発明に係る物品包装カバーは、物品に全体的に巻き付けるような展開状態において広い面積の包装カバーや箱タイプのカバーに比べると物品包装カバー作製材料を十分節約でき、それだけ今日の省資源要請に応えることができる。
【００３４】
【発明の実施の態様】
以下本発明の実施の形態について図面を参照して説明する。
【００３５】
本発明に係る物品包装カバーの具体例として次のものを例示する。
（１）第１タイプの物品包装カバー
物品表面に被せる表面カバー部と、前記表面カバー部の一端に一体的に連設され、物品側周面の一部分へ被さるように折り曲げられる第１側面カバー部と、前記表面カバー部の前記一端とは反対側の他端に一体的に連設され、物品側周面の前記一部分とは反対側の部分へ被さるように折り曲げられる第２側面カバー部とを備えており、前記第１側面カバー部は、底辺部が前記表面カバー部と略並行に位置するとともに頂部が該表面カバー部と該第１側面カバー部との境界部位に臨む側面視３角形状又は略３角形状を呈するように折り曲げ可能である物品包装カバーであり、
前記第１側面カバー部は、表面カバー部との境界に設けられた第１折り曲げライン、第１折り曲げラインから隔たって該第１折り曲げラインと平行に設けられた第２折り曲げライン、該第２折り曲げラインから第１折り曲げラインとは反対側へ隔たって該第２折り曲げラインと平行に設けられた第３折り曲げラインを有し、第１、第２及び第３折り曲げラインでそれぞれ折り曲げて前記側面視３角形状又は略３角形状を呈させるとともに物品側周面の前記一部分へ被さるように配置でき、
前記第２側面カバー部は表面カバー部との境界に設けられた折り曲げラインで物品側周面の前記反対側の部分へ被さるように折り曲げ可能である物品包装カバー。
（２）第２タイプの物品包装カバー
上記（１）記載の物品包装カバーにおいて、
第１側面カバー部の表面カバー部とは反対側の端にフラップが一体的に連設されおり、該フラップは第１側面カバー部の前記側面視３角形状又は略３角形状の折り曲げに伴って該第１側面カバー部との境界に設けられた折り曲げラインで前記表面カバー部の裏面に重なるように前記第２側面カバー部側へ折り曲げ可能である物品包装カバー。
（３）第３タイプの物品包装カバー
上記（１）記載の物品包装カバーにおいて、
表面カバー部と第１側面カバー部との境界に設けられた前記第１折り曲げラインの延在方向に沿って物品表面側の周縁部が部分的に嵌合可能の第１切り抜きラインが形成されており、表面カバー部と第２側面カバー部との境界に設けられた前記折り曲げラインの延在方向に沿って物品表面側の周縁部が部分的に嵌合可能の第２切り抜きラインが形成されている物品包装カバー。
（４）第４タイプの物品包装カバー（第２、第３タイプのカバーの組み合わせタイプのカバー）
上記（１）記載の物品包装カバーにおいて、
第１側面カバー部の表面カバー部とは反対側の端にフラップが一体的に連設されおり、該フラップは第１側面カバー部の前記の側面視３角形状又は略３角形状の折り曲げに伴って該第１側面カバー部との境界に設けられた折り曲げラインで前記表面カバー部の裏面に重なるように前記第２側面カバー部側へ折り曲げ可能であり、
表面カバー部と第１側面カバー部との境界に設けられた前記第１折り曲げラインの延在方向に沿って物品表面側の周縁部が部分的に嵌合可能の第１切り抜きラインが形成されており、表面カバー部と第２側面カバー部との境界に設けられた前記折り曲げラインの延在方向に沿って物品表面側の周縁部が部分的に嵌合可能の第２切り抜きラインが形成されており、
前記フラップは第１側面カバー部とフラップとの境界領域に前記第１切り抜きラインを露出させる開口が形成されている物品包装カバー。
【００３６】
次に図面を参照して第４タイプの物品包装カバーについて説明する。
【００３７】
図１は第４タイプ物品包装カバーの展開状態における平面図、図２は図１に示すカバーの裏面図である。なお、図１、図２にはこのカバーで包装される物品Ｗも鎖線で示してある。
【００３８】
この物品包装カバーＡは１枚の厚紙シートを裁断して全体が一体的に形成されている。カバーＡは、被包装物品Ｗの表面に被せられる表面カバー部１、該表面カバー部１に一体的に連設された第１側面カバー部３、表面カバー部１に一体的に連設された第２側面カバー部２、さらに第１側面カバー部３に一体的に連設されたフラップ４とからなっている。第１、第２の側面カバー部３、２は表面カバー部１の対向端から互いに反対方向に延設されている。フラップ４は第１側面カバー部３から表面カバー部１とは反対方向へ延設されている。
【００３９】
表面カバー部１と第１側面カバー部３との境界には第１折り曲げライン６が設けられており、このライン６の延在方向における中央部に第１切り抜きライン６１が設けられている。ライン６１はカバーＡの表裏面に貫通しており、所定間隔をおいた二つの台形状切り抜き部６１１と、これらを結ぶ直線切り抜き部６１２からなっている。なお切り抜き部６１２に連続してそれに垂直な短い切り抜き部６１３が第１側面カバー部３に形成してある。
【００４０】
表面カバー部１と第２側面カバー部２との境界には折り曲げライン５が設けられており、このライン５の延在方向における中央部に第２切り抜きライン５１が設けられている。ライン５１はカバーＡの表裏面に貫通しており、所定間隔をおいた二つの台形状切り抜き部５１１と、これらを結ぶ直線切り抜き部５１２からなっている。なお切り抜き部５１２に連続してそれに垂直な短い切り抜き部５１３が第２側面カバー部２に形成してある。
【００４１】
このような切り抜きライン５１、６１は後述するような利点があるが、なくても構わない。
【００４２】
第１側面カバー部３は前記第１折り曲げライン６の他、折り曲げラインとして、第１折り曲げライン６から隔たってライン６と平行に設けられた第２折り曲げライン７、さらにライン７から第１折り曲げライン６とは反対側へ隔たって該第２折り曲げライン７と平行に設けられた第３折り曲げライン８を有している。
【００４３】
フラップ４と第１側面カバー部３との境界には折り曲げライン４０が設けられている。
【００４４】
さらにフラップ４と第１側面カバー部３との境界領域には、折り曲げライン４０の方向に長い開口４１がフラップ４と第１側面カバー部３とに跨がって形成されている。
【００４５】
なおフラップ４を設けると後述するような利点があるが、フラップ４はなくても構わない。
【００４６】
なお、図１、図２において、第１側面カバー部３の折り曲げライン７上に７０で示すものについては後述する。
【００４７】
図示のカバーＡは、それには限定されないが、ここでは図３〜図５に示す物品Ｗの包装に利用される。
【００４８】
該物品Ｗは図１２に示す物品Ｗと同じもので、食品を密封収容した容器である。すなわち、平面視半円状の二つの食品収容部ｃ１、ｃ２を所定の間隔を開けて全体として平面視円状に配置し、これら収容部の開口の間にわたる繋ぎ壁ｃ３並びに収容部ｃ１、ｃ２の開口部周縁及び壁ｃ３に連なるフランジｃ４を収容部ｃ１、ｃ２と一体的に合成樹脂成形して容器Ｃを形成し、容器Ｃの物品収容部ｃ１、ｃ２にそれぞれ食品α、βを収容し、収容部開口を蓋体フィルムｆで覆い、該フイルムｆを前記の繋ぎ壁ｃ３及びフランジｃ４にヒートシール接着したものである。フランジｃ４の周縁は食品収容部ｃ１、ｃ２より外側へはみ出している。
【００４９】
図６（Ａ）はカバーＡを折り曲げた状態の側面図であり、図６（Ｂ）はそのように折り曲げたカバーＡの平面図であり、図６（Ｃ）は図６（Ａ）のＹ−Ｙ線に沿う断面図である。
【００５０】
物品包装カバーＡは図６（Ａ）に示すように、第２側面カバー部２を前記の折り曲げライン５で表面カバー部１の裏面側へ折り曲げることができる。
【００５１】
第１側面カバー部３は前記の第１折り曲げライン６で表面カバー部１の裏面側へ折り曲げるとともに、第２折り曲げライン７でさらに上方へ折り曲げ、第３折り曲げライン８でさらに表面カバー部１側へ折り返し、図６（Ａ）に示すように側面視略直角３角形状の部分を形成できる。また、これとともにフラップ４を折り曲げライン４０で第２側面カバー部２側へ折り曲げて表面カバー部１の裏面に重ねることができる。
【００５２】
このようにして形成される側面視略直角３角形状の部分においては、底辺部３ａ（折り曲げライン７、８間の部分）が表面カバー部１と略並行に位置するとともに３角形状頂部が表面カバー部１と第１側面カバー部３との境界部位に臨む。折り曲げライン８、４０間の部分３ｂは底辺部３ａから３角形状頂部へ向かって下り傾斜面を形成する。
【００５３】
このように折り曲げたとき、図６（Ｂ）に示すように、前記の切り抜きライン５１の部分に若干の隙間５１ｇができる。また図６（Ｃ）に示すように、前記の切り抜きライン６１の部分に若干の隙間６１ｇができる。
【００５４】
カバーＡは以上のように折り曲げることができるから、これでもって物品Ｗを包装するにあたっては、図７に示すように表面カバー部１を物品Ｗの蓋体フィルムｆのある表面にあてがい、第２側面カバー部２を折り曲げライン５で折り曲げて物品側周面の一部ｗ１を覆うようにその部分の上へ折り曲げる。
【００５５】
第１側面カバー部３は物品側周面の反対側部分ｗ２を覆うように全体としてその部分の上へ折り曲げる。そのとき、第１側面カバー部３が前記のように側面視略直角３角形状を呈するように、且つ、フラップ４が表面カバー部裏面に重なるように折り曲げる。
【００５６】
かくして図７（Ａ）に示すように、物品側周面の一部ｗ１を第２側面カバー部２で覆い、物品側周面の反対側部分ｗ２はその部分における物品表面側のフランジｃ４を表面カバー部１と第１側面カバー部３との境界部位に臨むように位置させる一方、物品裏面側乃至底面側を側面視略３角形状のせり上がった底辺部３ａに臨むように位置させる。
【００５７】
さらに物品Ｗのフランジｃ４を部分的に切り抜きライン５１にて形成された隙間５１ｇへ嵌め込むとともに切り抜きライン６１にて形成された隙間６１ｇへフラップ・第１側面カバー部境界領域の開口４１を介して嵌め込み、カバーＡを物品Ｗに連結する。
【００５８】
ここで折り曲げられた第１側面カバー部３を下に第２側面カバー部２を上にして適当な台面Ｂ上に該第１側面カバー部３の折り曲げライン６、７間の部分３ｃを載置することで、物品Ｗを立て置くことができる。
【００５９】
物品Ｗは物品本体（ここでは食品収容部ｃ１、ｃ２の部分）よりはみ出た大きいフランジｆを有している。しかし、側面視３角形状に折り曲げられた第１側面カバー部３のうち該３角形状の底辺部３ａから表面カバー部１へ向かって延びる部分３ｂは台面Ｂに配置される下側部分３ｃに対し表面カバー部１へ向かって下り傾斜する姿勢をとる。従って物品表面側を３角形状の頂部に臨む低い位置に配置する一方、物品裏面側乃至底面側を盛り上がった３角形底辺部３ａに臨む高い位置に配置することができる。これにより物品Ｗを略真っ直ぐ立ててその重量を主として第１側面カバー部３に支持させることができる。また物品Ｗの転がりについても該物品を側面カバー部２、３で挟む恰好となるので防止できる。かくして物品Ｗを安定的に立て置くことができる。
【００６０】
また第１側面カバー部３と一体的に形成されたフラップ４が表面カバー部１の裏面に重ねられているので、折り曲げられた第１側面カバー部３及びフラップ４を含む部分の強度がそれだけ増しており、この点で一層安定的に物品Ｗを立て置くことができる。
【００６１】
なお図７（Ａ）に示すように、物品Ｗに包装カバーＡを被せた状態において、物品Ｗの底面側はカバーＡの第１側面カバー部３よりδ’はみ出しており、第２側面カバー部２よりδはみ出している。さらに言えば、そのようにはみ出すように第１側面カバー部３の各部の寸法、第２側面カバー部２の各部の寸法が予め定められている。このように物品Ｗの底部がカバーＡよりはみ出すことで、カバーＡで包装した物品Ｗを平坦に重ねて保管等するときに、上下に隣り合う物品Ｗのうち上側の物品Ｗはその物品底部分で直接下側の物品に載置されることができ、カバーＡに直接物品荷重が加わってこれを変形させるような事態を回避できる。なお、カバーＡに物品荷重が加わっても構わないのであれば、物品Ｗの底部はカバーＡより内側に納まっていてもよい。
【００６２】
包装カバーＡで包装した物品Ｗは図７（Ａ）に示すように透明な熱収縮性フィルムＦで覆って、該フィルムを加熱収縮させることでカバーＡをしっかりと物品Ｗに固定してもよい。
【００６３】
また、かかる熱収縮性フィルムによる被覆とともに又はそれに代えて図７（Ｂ）に例示するように、第２側面カバー部２の表面カバー部１とは反対側の端の中央部に予め或いは後付けで帯２０を連設し、該帯２０の自由端部を第１側面カバー部３に予め設けておいた帯差し込み孔（ここでは第２折り曲げライン７に沿って形成した孔）７０に差し込み留めできるようにしてもよい。
【００６４】
いずれにしても物品包装カバーＡによると、該カバーＡと共に物品Ｗを立て並べることができるので、遠くからでも目立つとともに、広い面積の表面カバー部１に商品名等を記載して十分なディスプレー効果を発揮させることができる。
【００６５】
以上、図３から図５に示す物品ＷをカバーＡで包装する場合について説明したが、カバーＡは他の形態の物品にも適用できる。例えば図８（Ａ）に示すように、それ自体では側周面の一部を下にして立て置きし難い倒立錐台形状物品ＷＸ、すなわち例えば図１１の（Ｅ）や（Ｆ）に示すような物品でもカバーＡを該物品のサイズにあったサイズに形成して適用し、該物品ＷＸを安定的に立て置きできる。また図８（Ｂ）に示すように、それ自体では側周面の一部を下にして立て置きすると転がりやすい円板状物品ＷＹ（例えば図１１（Ｃ）に示すような物品）でも、また直方体形状の物品であっても、それが軽いものであれば、カバーＡを該物品のサイズにあったサイズに形成して適用し、該物品ＷＹ等を立て置きできる。なお、物品ＷＹの表面側を支える詰め物３’を物品表面側の下に補助的に設けてもよい。
【００６６】
これらについても熱収縮性フィルムで包装してもよい。
【００６７】
以上物品包装カバーＡについて説明したが、本発明に係る物品包装カバーはカバーＡに限定されるものではない。
【００６８】
例えば、第２側面カバー部は第１側面カバー部３を連設した表面カバー部１の端に対向する反対側端に設ける必要はない。物品の形状、大きさ等に応じて例えば図９に示すように、他の端の１又はそれ以上に第２側面カバー部２’又は（及び）２”を設けてもよい。
【００６９】
参考までに図１０に、図１等に示すカバーＡにおいて第２側面カバー部２を省略した物品包装カバーＡ’で物品Ｗを包装し、それら全体を熱収縮性フィルムＦで包んで該フィルムＦを加熱収縮させようとしている状態を示す。
【００７０】
【発明の効果】
以上説明したように本発明によると、物品本体よりはみ出たフランジや耳部を有している物品、倒立錐台状物品のように物品表面側より物品裏面側乃至物品底面側が小径乃至小面積となっている物品等のようにそれ自体で側周面の一部を利用して立てることができないか、たとえできたとしてもきわめて不安定な立ち方になってしまう物品について、これをより安定的に立て置くことができるとともに該物品の大きいディスプレー効果を発揮させることができる物品包装カバーを提供することができる。
【図面の簡単な説明】
【図１】本発明に係る物品包装カバーの１例の平面図である。
【図２】図１に示す物品包装カバーの裏面図である。
【図３】図１に示す物品包装カバーで包装する物品例の平面図である。
【図４】図３のＸ−Ｘ線に沿う断面図である。
【図５】図３に示す物品の底面図である。
【図６】図（Ａ）は図１に示す物品包装カバーの折り曲げ状態を示す側面図、図（Ｂ）は同カバーの平面図、図（Ｃ）は図（Ａ）のＹ−Ｙ線に沿う断面図、図（Ｄ）から図（Ｇ）はそれぞれ第１側面カバー部の略３角形状の折り曲げ状態例を示す図である。
【図７】図（Ａ）は図３に示す物品を図１に示す物品包装カバーで包装した状態の側面図であり、図（Ｂ）は図３に示す物品を図１に示す包装カバーに帯を設けた物品包装カバーで包装した状態の側面図である。
【図８】図（Ａ）は他の形態の物品の本発明カバーによる包装状態を示す側面図、図（Ｂ）はさらに他の形態の物品の本発明カバーによる包装状態を示す側面図である。
【図９】本発明に係る物品包装カバーの他の例の平面図である。
【図１０】  物品包装カバーのさらに他の例による物品包装状態を示す側面図である。
【図１１】図（Ａ）から図（Ｆ）はそれぞれ物品形態例を示す側面図である。
【図１２】従来の物品包装カバー例を示す側面図である。
【符号の説明】
Ａ、Ａ’  物品包装カバー
１  表面カバー部
２  第２側面カバー部
３  第１側面カバー部
３ａ  側面カバー部３からなる略３角形状の底辺部
（折り曲げライン７、８間部分）
３ｂ  側面カバー部３からなる略３角形状の斜面部
（折り曲げライン８、９間部分）
３ｃ  側面カバー部３からなる略３角形状の台面Ｂに配置される部分
（折り曲げライン６、７間部分）
４  フラップ
４０  折り曲げライン
４１  開口
５  折り曲げライン
５１  第２切り抜きライン
５１１  台形状切り抜き部
５１２  直線切り抜き部
５１３  短い切り抜き部
５１ｇ  間隙
６  第１折り曲げライン
６１  第１切り抜きライン
６１１  台形状切り抜き部
６１２  直線切り抜き部
６１３  短い切り抜き部
６１ｇ  間隙
７  第２折り曲げライン
８  第３折り曲げライン
２０  帯
７０  帯差し込み留め孔
Ｗ  物品
Ｃ  容器
ｃ１、ｃ２  食品収容部
ｃ３  収容部の開口の間にわたる繋ぎ壁
ｃ４  フランジ
ｆ  蓋体フィルム
Ｆ  熱収縮性フィルム
ｗ１、ｗ２  物品側周面の一部
ＷＸ  、ＷＹ  物品
３’  詰め物
９  従来の包装カバー例
９１  表面カバー部９１
９２、９３  側面カバー部
１０  熱収縮性フィルム
【図１】
0004499232.tif 000002
【図２】
0004499232.tif 000003
【図３】
0004499232.tif 000004
【図４】
0004499232.tif 000005
【図５】
0004499232.tif 000006
【図６】
0004499232.tif 000007
【図７】
0004499232.tif 000008
【図８】
0004499232.tif 000009
【図９】
0004499232.tif 000010
【図１０】
0004499232.tif 000011
【図１１】
0004499232.tif 000012
【図１２】
0004499232.tif 000013